(57)【要約】【課題】クリーナの存在がデザイン性を損なわないこと、ユーザの操作を必要とせずにクリーナによる清掃が可能なこと、また、その使用に際して制限を受けることがないクリーナを有する携帯端末装置を提供する。【解決手段】携帯端末装置１は、上部筐体１０と下部筐体２０とが、双方の対向面に沿ってスライド移動可能となるように結合される。また、携帯端末装置１は、上部筐体１０及び下部筐体２０の一方の筐体の対向面１１上にクリーナ３０を備える。このクリーナ３０は、上部筐体１０と下部筐体２０のスライド移動に伴い、他方の筐体の対向面Ａに接触しながら移動する。【選択図】図１
2011114351.tif 000002
【特許請求の範囲】
【請求項１】
上部筐体と下部筐体とが、双方の対向面に沿ってスライド移動可能となるように結合される携帯端末装置であって、
前記上部筐体及び前記下部筐体の一方の筐体の対向面上にクリーナを備え、該クリーナは、前記上部筐体と前記下部筐体のスライド移動に伴い、他方の筐体の対向面に接触しながら移動する携帯端末装置。
【請求項２】
前記他方の筐体の対向面には、少なくとも表示装置が配置される、請求項１に記載の携帯端末装置。
【請求項３】
前記他方の筐体の対向面には、少なくともキーボードが配置される、請求項１に記載の携帯端末装置。
【請求項４】
前記クリーナは、前記一方の筐体の対向面の、前記スライド移動の方向と直交方向に延びる縁部に沿って配置される、請求項１〜３の何れか一に記載の携帯端末装置。
【請求項５】
前記スライド移動する面が湾曲面である、請求項１〜４の何れか一に記載の携帯端末装置。
【発明の詳細な説明】
【技術分野】
【０００１】
本発明は、携帯端末装置に関し、更に詳しくは、筐体表面に付着した汚れを除去するクリーナを備えた携帯端末装置に関する。
【背景技術】
【０００２】
携帯電話機等の携帯端末装置としては、例えば、表面に表示装置（スクリーン）が配置された上部筐体と、表面に各種操作キー（キーボード）が配置された下部筐体とが、相互にスライド移動可能に結合されたものがある。
【０００３】
携帯端末装置では、通話時に、スクリーンの表面にユーザの顔が接触する場合があり、また、キーボードの操作時には、キーボードのキー面にユーザの指が接触する。このため、携帯端末装置では、使用時に、スクリーンの表面やキーボードのキー面に皮脂等の汚れが付着する場合がある。これらの汚れは、ユーザが、ストラップに付属しているクリーナや布等を用いて除去している。
【０００４】
近年、携帯端末装置は、デザイン性の観点から、筐体表面に加飾、例えば艶の高い仕上げを施し、また、スクリーンの表面が常に外観に露出した構成を採用する場合がある。このような携帯端末装置は、筐体表面に汚れが付着し易く、また、汚れが非常に目立ち易い。このため、ユーザに好ましい印象を与えず、商品価値が低下する場合がある。また、汚れが付着し難く、且つ、汚れが目立たないことを優先させると、デザインが制約される虞もある。
【０００５】
特許文献１には、上部筐体と下部筐体とが相互に回動可能に結合された構成を採用し、且つ、筐体表面に付着した汚れを除去するクリーナを備えた携帯端末装置が記載されている。この携帯端末装置は、上部筐体の側面に形成されたガイド溝と、ガイド溝に沿って移動する支持部とを有する。クリーナは、支持部に支持されている。
【０００６】
この携帯端末装置では、上部筐体と下部筐体とを展開させた状態で、ユーザが、ガイド溝に沿って支持部を移動させると、クリーナが上部筐体のスクリーンの表面に接触しながら移動して、スクリーンに付着した汚れを除去する。
【先行技術文献】
【特許文献】
【０００７】
【特許文献１】特開２００４−３１２１４３号公報
【発明の概要】
【発明が解決しようとする課題】
【０００８】
特許文献１に記載の携帯端末装置では、スクリーンの表面上に配置したクリーナの存在により、デザイン性が損なわれる。また、ユーザは、スクリーンに付着した汚れを除去するために、クリーナを移動させる操作をわざわざ行う必要があり、クリーナ使用による清掃がユーザの負担になる。
【０００９】
さらに、居合わせた人は、クリーナの操作による清掃の様子を視認することになる。このため、例えばユーザが知人に携帯端末装置を貸した際に、その知人がその場で直ちにクリーナを使用すると、貸した携帯端末装置のユーザは、その清掃行為により潜在的な不快感を払拭できない場合があり得る。このため、クリーナの使用場面には、制限がある。
【００１０】
本発明は、クリーナの存在がデザイン性を損なわないこと、ユーザの操作を必要とせずにクリーナによる清掃が可能なこと、また、その使用に際して制限を受けることがないクリーナを有する携帯端末装置を提供することを目的とする。
【課題を解決するための手段】
【００１１】
上記目的を達成するために、本発明は、上部筐体と下部筐体とが、双方の対向面に沿ってスライド移動可能となるように結合される携帯端末装置であって、
前記上部筐体及び前記下部筐体の一方の筐体の対向面上にクリーナを備え、該クリーナは、前記上部筐体と前記下部筐体のスライド移動に伴い、他方の筐体の対向面に接触しながら移動する携帯端末装置を提供する。
【発明の効果】
【００１２】
本発明の携帯端末装置では、デザイン性を損なうことなくクリーナを配置でき、ユーザの操作を必要とせずにクリーナによる清掃が可能であり、また、その使用に際して制限を受けることがない。
【図面の簡単な説明】
【００１３】
【図１】（ａ）及び（ｂ）は、本発明の実施形態に係る携帯端末装置の外観を示す図。
【図２】図１に示す携帯端末装置のスライド方向に沿った断面を示す図。
【図３】（ａ）及び（ｂ）は、本発明の他の実施形態に係る携帯端末装置のスライド方向に沿った断面を示す図。
【発明を実施するための形態】
【００１４】
本発明の携帯端末装置は、最小構成として、上部筐体及び下部筐体と、クリーナとを備える。上部筐体と下部筐体とは、双方の対向面に沿ってスライド移動可能となるように結合されている。クリーナは、上部筐体及び下部筐体の一方の筐体の対向面上に配置されており、上部筐体と下部筐体のスライド移動に伴い、他方の筐体の対向面に接触しながら移動する。
【００１５】
上記携帯端末装置では、スライド移動可能に結合された一方の筐体の対向面上に、クリーナを配置したので、筐体のスライド移動時に、クリーナが他方の筐体の表面を清掃する。クリーナは、通常の使用時にユーザに視認されることがないので、クリーナの存在によりデザイン性を損なうことなく配置できる。また、筐体のスライド移動という通常使用時の操作に伴ってクリーナが移動するので、クリーナ使用による清掃がユーザの負担にならない。さらに、クリーナの使用が他人に視認されることがないので、その清掃に際して不快感を与えることもない。
【００１６】
以下、図面を参照し、本発明の例示的な実施の形態について詳細に説明する。図１は、本発明の実施形態に係る携帯端末装置の外観を示す斜視図である。図１（ａ）は、携帯端末装置の展開状態を示し、また、図１（ｂ）は、携帯端末装置の上部筐体の裏面を示している。携帯端末装置１は、例えば携帯電話機に代表される携帯型の電子機器であって、上部筐体１０と、下部筐体２０と、クリーナ３０とを備える。下部筐体２０には、図１（ａ）に示すように、その表面に各種操作を行うためのキーボード２１が配置されている。
【００１７】
携帯端末装置１は、スライド式携帯端末装置であって、上部筐体１０と下部筐体２０とが、双方の対向面に沿って、図１（ａ）中の矢印に示すスライド方向にスライド移動可能に結合されている。このため、携帯端末装置１は、上部筐体１０が下部筐体２０の少なくともキーボード２１のキートップ面（以下、キー面という）を開放する展開状態と、上部筐体１０が下部筐体２０の表面を覆う閉止状態とを採る。なお、上部筐体１０と下部筐体２０とをスライド移動可能に保持しながら結合する結合部材は、図示を省略している。
【００１８】
キーボード２１のキー面には、各種操作を行う際にユーザの指が接触するので、皮脂等の汚れが付着することがある。つまり、下部筐体２０の表面Ａは、携帯端末装置１の使用時にユーザの皮脂等の汚れが付着し易い。
【００１９】
クリーナ３０は、下部筐体２０の表面Ａに対向する面、即ち上部筐体１０の裏面１１に配置されている。このため、クリーナ３０は、通話等の通常使用時に、ユーザから視認されることがない。また、クリーナ３０は、図１（ｂ）に示すように、上部筐体１０の裏面１１の、スライド方向と直交方向に延びる縁部１２に沿って配置されている。さらに、クリーナ３０は、上部筐体１０と下部筐体２０のスライド移動に伴い、下部筐体２０の表面Ａに接触しながら移動する。
【００２０】
クリーナ３０は、下部筐体２０の表面Ａに傷を付け難い程度に柔らかく、且つ、スポンジのようにカスが発生し難い素材で形成することが好ましい。一例として、眼鏡拭きのような目の細かい布状素材が挙げられる。
【００２１】
次に、図２を参照して、下部筐体２０の表面Ａに付着した汚れを除去する際の動作を説明する。図２は、携帯端末装置１のスライド方向に沿った断面を簡略化して示している。携帯端末装置１は、通常使用時に、下部筐体２０に対して上部筐体１０をスライド移動させる操作をユーザが行うと、上記閉止状態から展開状態、或いは、上記展開状態から閉止状態に移行する。
【００２２】
この筐体のスライド移動に伴って、上部筐体１０の裏面１１に配置されたクリーナ３０は、図中矢印に示すスライド方向に沿って、下部筐体２０の表面Ａに接触し且つ押し付けられながら移動する。このため、下部筐体２０の表面Ａがクリーナ３０によって磨かれ、下部筐体２０の表面Ａに付着していた皮脂等の汚れが除去される。
【００２３】
本実施形態では、筐体のスライド移動に伴ってクリーナ３０が移動し、下部筐体２０の表面Ａに付着した汚れを除去できる。つまり、筐体のスライド移動という通常使用時の操作に伴い、クリーナ３０が汚れを除去するので、クリーナ３０の使用による清掃がユーザの負担にならない。また、クリーナ３０は、上部筐体１０の裏面１１に配置されているので、携帯端末装置１の通常使用時にユーザに視認されることがなく、デザイン性が損なわれることがない。さらに、クリーナ３０が、上部筐体１０の裏面１１の縁部１２に沿って配置されているので、下部筐体２０の表面Ａの全面に均一に接触しながら、汚れを除去できる。
【００２４】
また、本実施形態では、下部筐体２０の表面Ａに付着した汚れをユーザに意識させずに済む。比較のために、ユーザが既存の携帯端末装置を知人に貸す或いは通話中に一時的に渡す場合を想定する。その知人が、既存の携帯端末装置を使用する前に、例えば、下部筐体の表面を服で拭う、指で拭く或いはストラップ等に付属したクリーナで磨く等の行為を行った場合には、その行為により、ユーザに下部筐体の表面が汚れていたのだという不快感を与えることになる。さらに、その知人が既存の携帯端末装置を使用した後で、その場で直ぐにユーザに返却する前に、上記行為を行った場合も、その行為がユーザへの気遣いであるにも関わらず、ユーザに不快感を与えることがある。
【００２５】
これに対して、本実施形態では、クリーナ３０の使用による清掃が視認されることがないので、ユーザ或いはユーザ以外の人が、下部筐体２０の表面Ａに付着した汚れを意識せずに済む。このため、クリーナ３０の使用による清掃に際して、不快感を与えることがなく、クリーナ３０の使用場面に制限を受けることがない。そして、ユーザは、汚れを気にせず、携帯端末装置１を快適に使用できる。
【００２６】
また、本実施形態では、上部筐体１０の裏面１１にクリーナ３０が配置されているので、対向する筐体間のクリアランスを埋めることになる。このため、バイブ振動時のビリツキを抑え、また、スライド移動構造のクリアランスに起因するガタつきを抑えられる可能性もある。
【００２７】
上記実施形態では、下部筐体２０の表面Ａにキーボード２１のキー面が配置されている場合を例示したが、これに限定されない。一例として、図３（ａ）に示す携帯端末装置１Ａは、下部筐体２０Ａの表面Ｂに、キーボード２１Ａとスクリーン２２とが配置されている点で、上記携帯端末装置１と異なる。
【００２８】
携帯端末装置１Ａでは、上部筐体１０が図中矢印に示すスライド方向に移動すると、上部筐体１０の裏面１１に配置されたクリーナ３０が、キーボード２１Ａのキー面及びスクリーン２２のスクリーン面に接触しながら移動する。このため、携帯端末装置１Ａでは、スライド移動に伴って、クリーナ３０が、下部筐体２０Ａの表面Ｂに付着した汚れを除去できる。なお、携帯端末装置１Ａでは、上部筐体１０の代わりに、下部筐体２０Ａを保護するカバーを採用し、このカバーの裏面にクリーナ３０を配置してもよい。
【００２９】
図３（ｂ）に示す携帯端末装置１Ｂは、下部筐体２０Ｂの表面Ｃにスクリーン２２Ａが配置され、上部筐体１０Ａの表面にキーボード２１Ｂが配置されている点で、上記携帯端末装置１と異なる。
【００３０】
携帯端末装置１Ｂでは、上部筐体１０Ａが図中矢印に示すスライド方向に移動すると、上部筐体１０Ａの裏面１１に設置されたクリーナ３０が、スクリーン２２Ａのスクリーン面に接触しながら移動する。このため、携帯端末装置１Ｂでは、スライド移動に伴って、クリーナ３０が、下部筐体２０Ｂの表面Ｃに付着した汚れを除去できる。
【００３１】
また、上記各実施形態では、スライド移動時の上部筐体及び下部筐体の軌跡が直線状である、いわゆるストレートスライド構造を採用したものを例示したが、これに限定されない。一例として、携帯端末装置に、スライド移動時の筐体の軌跡が曲線状、或いは、スライド移動する面が湾曲面である、いわゆるカーブスライド構造を採用してもよい。このような携帯端末装置であっても、一方の筐体の対向面にクリーナ３０を配置し、クリーナ３０が、スライド移動時に他方の筐体の対向面に接触しながら移動する構成を採用すれば、他方の筐体の対向面に付着した汚れをクリーナ３０で除去できる。
【００３２】
また、上記各実施形態では、上部筐体の裏面にクリーナ３０を配置する例を挙げたが、これに限定されず、下部筐体の表面に配置してもよい。この場合には、上部筐体の裏面を清掃するので、その効果としては限定的になる。
【００３３】
さらに、上記各実施形態では、携帯端末装置として携帯電話機を例示したが、これに限らず、スライド機構を備えているものであれば、ＰＨＳ（Personal Handheld phone System）、ＰＤＡ（Personal Data Assistants）等、適宜の携帯電子機器であってもよい。
【００３４】
以上、本発明をその好適な実施形態に基づいて説明したが、本発明の携帯端末装置は、上記実施形態の構成にのみ限定されるものではなく、上記実施形態の構成から種々の修正及び変更を施したものも、本発明の範囲に含まれる。
【符号の説明】
【００３５】
１，１Ａ，１Ｂ：携帯端末装置
１０，１０Ａ：上部筐体
１１：上部筐体の裏面
１２：上部筐体の縁部
２０，２０Ａ，２０Ｂ：下部筐体
２１，２１Ａ，２１Ｂ：キーボード
２２，２２Ａ：スクリーン
３０：クリーナ
Ａ，Ｂ，Ｃ：下部筐体の表面
【図１】
2011114351.tif 000003
【図２】
2011114351.tif 000004
【図３】
2011114351.tif 000005